(57)【要約】【課題】マイナスイオンが発生していることを直接的に視認することができる空気調和機用マイナスイオン発生装置を提供すること。【解決手段】吸込口１と吹出口２とを結ぶ空気通路３に熱交換器４と、送風ファン５とを順次配設してなる本体と、前記空気通路の吹出口近傍に設けられ、高圧電極５０とアース電極４０とをそれぞれ固定するイオンホルダ３１ａと、同イオンホルダに被着され、前記高圧電極およびアース電極を覆う通風孔を備えたイオンカバー３１ｂとで構成される空気調和機用マイナスイオン発生装置において、前記イオンカバーおよび、またはイオンホルダが表面にシボ加工が施された光透過性樹脂からなる構成にしたので、電極間の放電により発生する放電光が光透過性樹脂を透過し、分散されることにより和らげられて吹出口から本体外部に放光され、使用者がこれを視認してマイナスイオンの発生を直接認識できる。【選択図】  図１
2004278833.tif 000002
【特許請求の範囲】
【請求項１】
上部に設けられた吸込口と、下部に設けられた吹出口とを結ぶ空気通路に熱交換器と、送風ファンとを順次配設してなる本体と、前記空気通路の吹出口近傍に設けられ、高圧電極とアース電極とをそれぞれ固定するイオンホルダと、同イオンホルダに被着され、前記高圧電極およびアース電極を覆う通風孔を備えたイオンカバーとで構成される空気調和機用マイナスイオン発生装置において、
前記イオンカバーおよび、またはイオンホルダが光透過性樹脂からなることを特徴とする空気調和機用マイナスイオン発生装置。
【請求項２】
前記光透過性樹脂の表面にシボ加工を施してなることを特徴とする請求項１記載の空気調和機用マイナスイオン発生装置。
【発明の詳細な説明】
【０００１】
【発明の属する技術分野】
本発明は、空気調和機用マイナスイオン発生装置に係わり、とくに、吹出口近傍に配設されるマイナスイオン発生装置に関する。
【０００２】
【従来の技術】
従来空気調和機用マイナスイオン発生装置は、図１に示すように、上部に設けられた吸込口１と、下部に設けられた吹出口２を結ぶ空気通路３に熱交換器４と、送風ファン５とを順次配設して空気調和機の本体を構成し、前記空気通路３にマイナスイオン発生装置３１を配設している。
前記マイナスイオン発生装置３１は高圧電極と、アース電極とをそれぞれ固定するイオンホルダ３１ａと、同イオンホルダ３１ａに被着され、前記高圧電極およびアース電極を覆う通風孔を備えるイオンカバー３１ｂとで構成されている。
従来、前記イオンホルダ３１ａおよびイオンカバー３１ｂは、不透明な材料で形成されている。
ところで、マイナスイオンは人間の目で見ることが出来ないため、前記マイナスイオン発生装置３１を前記吹出口２近傍の外部から見える位置に配設しても、使用者が同装置から本当にマイナスイオンが発生しているのか目視で確認することが出来ないという問題があった。
そこで、前記マイナスイオン発生装置が前記空気調和機とともに動作しているときは、前記マイナスイオンが発生していることを発光ダイオードの点灯により報知し、前記マイナスイオン発生装置のみが動作しているときは、前記マイナスイオンが発生していることを発光ダイオードの点滅により報知するようにしている（例えば、特許文献１参照。）。
しかしながら、マイナスイオンが発生していることを発光ダイオードの点滅により報知するのでは、その点滅が何を意味するのかが不明瞭なままであれば何の意味もなくなり、点滅させたことによる効果も期待できない。
【０００３】
【特許文献１】
特開２００２−１１５８６１号公報（第３−４頁、第１図）
【０００４】
【発明が解決しようとする課題】
本発明は以上述べた問題点を解決し、マイナスイオンが発生していることを直接的に視認することができる空気調和機用マイナスイオン発生装置を提供することを目的としている。
【０００５】
【課題を解決するための手段】
本発明は上述の課題を解決するため、上部に設けられた吸込口と、下部に設けられた吹出口とを結ぶ空気通路に熱交換器と、送風ファンとを順次配設してなる本体と、前記空気通路の吹出口近傍に設けられ、高圧電極とアース電極とをそれぞれ固定するイオンホルダと、同イオンホルダに被着され、前記高圧電極およびアース電極を覆う通風孔を備えたイオンカバーとで構成される空気調和機用マイナスイオン発生装置において、
前記イオンカバーおよび、またはイオンホルダが光透過性樹脂からなる構成となっている。
【０００６】
また、前記光透過性樹脂の表面がシボ加工されてなる構成となっている。
【０００７】
【発明の実施の形態】
以下、図面に基づいて本発明による空気調和機用マイナスイオン発生装置を詳細に説明する。
図１は本発明に係る空気調和機用マイナスイオン発生装置を示す側断面図、図２は本発明による空気調和機用マイナスイオン発生装置の一実施例を示す要部側断面図、図３は動作を説明するための説明図である。
本発明に係る空気調和機は、図１に示すように、取付具２０を介して壁に取付けるベース１０と、これに被着される前面パネル１１とでなり、上部に設けられた吸込口１と、下部に設けられた吹出口２とを結ぶ空気通路３にハ字状に形成した熱交換器４と、送風ファン５とを順次配設してなり、前記送風ファン５の風下側となる前記吹出口２を通して外部から視認できる前記ベース１０にマイナスイオン発生装置３１を配設している。
前記マイナスイオン発生装置３１は、図２に示すように、高圧電極５０およびアース電極４０を固定して前記ベース１０に固定するイオンホルダ３１ａと、同イオンホルダ３１ａに被着して、前記高圧電極５０およびアース電極４０を覆う通風孔を備えるイオンカバー３１ｂとで構成されている。
そして、前記アース電極４０と前記高圧電極５０との間に高い電圧を印加することによりマイナスイオンを発生させ、この発生したマイナスイオンが前記熱交換器４により調和された空気と共に、前記吹出口２から室内に放出されるようになっている。
【０００８】
前記マイナスイオン発生装置３１のイオンホルダ３１ａと、イオンカバー３１ｂとは、例えばＡＢＳ、ＰＳまたはアクリルなどの透過性を有する光透過性樹脂によって形成され、図３で示すように、その表面はシボ加工３１ｂ’が施されることにより凹凸状に形成されている。
【０００９】
そして、図３に示すように前記高圧電極５０と前記アース電極４０との間に印加された高圧の電圧により放電して発生する放電光が、光透過性樹脂からなる前記イオンホルダ３１ａまたは前記イオンカバー３１ｂを透過し、更に前記シボ加工３１ｂ’が施された表面によって拡散されることになり、光透過性樹脂を透過し、且つ拡散されることによって和らげられた光の一部が、前記吹出口２から空気調和機の本体の外部に放出されてマイナスイオンの発生を報知するようになっている。
【００１０】
また、図示はしないが、前記吹出口２に前記マイナスイオン発生装置３１を示す文字または記号を記したラベルを貼付しておくと更に効果的である。
これにより、使用者が前記放電光を視認することにより、マイナスイオン発生装置３１の動作によってマイナスイオンが発生していることを認識することができる。
【００１１】
【発明の効果】
以上説明したように、本発明による空気調和機用マイナスイオン発生装置によれば、マイナスイオン発生装置のイオンホルダとイオンカバーが、光透過性樹脂で形成されると共に、その表面にシボ加工が施され、電極間の放電により発生する放電光が光透過性樹脂を透過し、シボ加工が施された表面で拡散されることにより和らげられて吹出口から本体外部に放光されるので、マイナスイオン発生装置から直接報知することができるようになり、使用者がこれを目にやさしい和らげられた光として視認することで、マイナスイオンの発生を直接認識できるようになる。
【図面の簡単な説明】
【図１】本発明および従来例に係る空気調和機用マイナスイオン発生装置を示す側断面図である。
【図２】本発明による空気調和機用マイナスイオン発生装置の一実施例を示す要部側断面図である。
【図３】本発明による空気調和機用マイナスイオン発生装置の動作を説明するための説明図である。
【符号の説明】
１  吸込口
２  吹出口
３  空気通路
４  熱交換器
５  送風ファン
３１  マイナスイオン発生装置
３１ａ  イオンホルダ
３１ｂ  イオンカバー
３１ｂ’  シボ加工
４０  アース電極
５０  高圧電極
【図１】
2004278833.tif 000003
【図２】
2004278833.tif 000004
【図３】
2004278833.tif 000005